(57)【要約】【課題】  回動式蓋体を備えた筆記具であっても、爪等を引っ掛けて蓋体を上方向に引き上げる必要がなく、径方向に押圧することで嵌合状態の蓋体を容易に開放して回動させ得る筆記具を提供する。【解決手段】  軸筒の後端部に、軸筒の後端３ａを露出及び閉鎖する蓋体が具備される筆記具１であって、前記軸筒の後部の側面に、軸筒の外面から突出した基部７ａを形成し、前記蓋体５の一端部に設けた係合部５ａを前記基部７ａに形成したヒンジ部７ｂに係合して前記蓋体５を回動自在に係合し、且つ、前記蓋体５の嵌合部５ｅを、前記軸筒の後端部に形成した被嵌合部３ｄに着脱自在に嵌合することで、軸筒の後端を露出及び閉鎖可能としており、前記蓋体５が垂直方向に突出した突出部６を備え、前記突出部６の係合部と他端側になる面に押圧操作部６aを設けてなる。【選択図】  図１
2014237241.tif 000002
【特許請求の範囲】
【請求項１】
軸筒の後端部に、軸筒の後端を露出及び閉鎖する蓋体が具備される筆記具であって、前記軸筒の後部の側面に、軸筒の外面から突出した基部を形成し、前記蓋体の一端部に設けた係合部を前記基部に形成したヒンジ部に係合して前記蓋体を回動自在に係合し、且つ、前記蓋体の嵌合部を、前記軸筒の後端部に形成した被嵌合部に着脱自在に嵌合することで、軸筒の後端を露出及び閉鎖可能としており、
前記蓋体が垂直方向に突出した突出部を備え、前記突出部の、前記係合部と他端側になる面に押圧操作部を設けてなることを特徴とする筆記具。
【請求項２】
前記押圧操作部が立体状の指掛部であることを特徴とする請求項１に記載の筆記具。
【請求項３】
前記蓋体の突出部先端までの高さが、係合部から嵌合部までの距離よりも長いことを特徴とする請求項１又は２に記載の筆記具。
【請求項４】
前記嵌合部が、軸筒の軸心近傍に位置することを特徴とする請求項１乃至３のいずれかに記載の筆記具。
【発明の詳細な説明】
【技術分野】
【０００１】
本発明は筆記具に関する。詳細には、軸筒後端部に開閉式の蓋体を備えた筆記具に関する。
【背景技術】
【０００２】
従来、軸筒の後端部に、軸筒の後端を露出及び閉鎖する蓋体を具備してなる筆記具として、軸筒の後端に摺動溝を後方に開口させる開口部を設け、前記開口部から摺動体付筆記体を取り外し及び挿入可能とし、軸筒に設けたヒンジ部に開口部を閉鎖する蓋体を回動自在に装着した構成の筆記具が開示されている。
また、前記構成の筆記具において、筆記体に熱変色性インキを収容した際の利便性を向上するために、蓋体外面に弾性材料からなる摩擦部を一体形成し、該摩擦部で筆跡を摩擦できる筆記具が開示されている。前記摩擦部は、後方に向かうに従い外径が小さくなる凸曲面状の表面を備えることで、筆跡を摩擦し易く、開閉操作時には指での挟持がし易い形状となっている（例えば、特許文献１，２参照）。
【先行技術文献】
【特許文献】
【０００３】
【特許文献１】特開２００７−３８６３５号公報
【特許文献２】特開２０１０−２６０２１８号公報
【発明の概要】
【発明が解決しようとする課題】
【０００４】
前記筆記具に適用される蓋体はいずれも、回動するための支点となるヒンジ部の他端側を、爪を引っ掛けて、又は摩擦部を指先で挟持して、蓋体を軸方向上側に引き上げることで、蓋体の嵌合状態を解除して回動させる構造を有している。
しかしながら、前記構造においては、爪が短い時や長すぎる時、更に指の力が弱い人が操作する場合には、軸筒との嵌合を解除して蓋体を開放することが困難なものであった。
【０００５】
本発明は、前記構造の回動式蓋体を備えた筆記具であっても、爪を引っ掛けたり指先で挟持して蓋体を上方向に引き上げる必要がなく、径方向に押圧することで嵌合状態の蓋体を容易に開放して回動させ得る筆記具を提供するものである。
【課題を解決するための手段】
【０００６】
本発明の筆記具は、軸筒の後端部に、軸筒の後端を露出及び閉鎖する蓋体が具備される筆記具であって、前記軸筒の後部の側面に、軸筒の外面から突出した基部を形成し、前記蓋体の一端部に設けた係合部を前記基部に形成したヒンジ部に係合して前記蓋体を回動自在に係合し、且つ、前記蓋体の嵌合部を、前記軸筒の後端部に形成した被嵌合部に着脱自在に嵌合することで、軸筒の後端を露出及び閉鎖可能としており、前記蓋体が垂直方向に突出した突出部を備え、前記突出部の、前記係合部と他端側になる面に押圧操作部を設けてなることを要件とする。
更に、前記押圧操作部が立体状の指掛部であること、前記蓋体の突出部先端までの高さが、係合部から嵌合部までの距離よりも長いこと、前記嵌合部が、軸筒の軸心近傍に位置することを要件とする。
尚、本発明において「前」とは、筆記具におけるペン先側であり、「後」とは、その反対側を示す。また、「下」とは、蓋体の軸筒側であり、「上」とはその反対側を示す。
【発明の効果】
【０００７】
本発明により、軸筒の後端を露出、閉鎖する回動式蓋体を備えた筆記具であっても、蓋体他端部に爪を引っ掛けたり、摩擦部を指先で挟持して蓋体の引上操作をする必要がなく、径方向に押圧することで嵌合状態の蓋体を容易に開放することが可能となるため、爪の長さや指の力に関係なく、蓋体を容易且つ確実に回動できる。
【図面の簡単な説明】
【０００８】
【図１】本発明の筆記具の一例を示す外観図である。
【図２】図１の筆記具の蓋体を開放した状態の外観図である。
【図３】図１の筆記具の摺動体付筆記体を外した状態（筆記具本体）の縦断面図である。
【図４】図３の要部拡大断面図である。
【発明を実施するための形態】
【０００９】
本発明の筆記具の実施形態について図面を用いて説明するが、本発明はこれらに限定されるものではない。
図１乃至４に示す実施形態の筆記具１は、前軸２と後軸３を螺合により取り付けられる軸筒本体４内に複数本（四本）の筆記体が前後方向に移動可能に収容されている。筆記体の後部には、筆記体のインキ収容筒に収容した筆記具用インキと同色の摺動体９が配設してあり、筆記体はコイルスプリング１２により後方に付勢される。尚、筆記体について詳細は図示していないが、前述の構成と同様にして他の三本の摺動体付筆記体を配設した従来から知られている出没機構のスライド式の多芯筆記具である。
【００１０】
前記筆記体はボールペンレフィルであり、具体的には、インキ収容筒の先端部にボールが回転可能に抱持されたペン先部を装着し、インキ収容筒の内部には、黒色の剪断減粘性を有する水性ゲルインキ及びインキ追従体を直に収容してある。他の三本の筆記体も同様に、インキ収容筒の先端部にボールペンチップからなるペン先部を装着し、各筆記体で色の異なる水性ゲルインキ及びインキ追従体を直に収容したボールペンレフィルである。尚、筆記体としては、前述のボールペンレフィルの他、油性インキを収容したものや、シャープペンユニットが適用できる他、消しゴムユニットやタッチペンユニット等を用いることもできる。
【００１１】
後軸３の後部には、前後方向に延びる細長状の摺動溝３ｂが四本形成されており、互いに、略等間隔に形成される。また、各摺動溝３ｂは、後方が開口しており、後軸３の後端３ａで連通する開口部３ｃを有している。
更に、後軸３の内部には、略円筒状のスプリング支持部８を固着している。スプリング支持部８は、四本の筆記体が挿通される内孔が軸方向に貫設し、スプリング支持部８と、各々の摺動体９，１０間には、コイルスプリング１２，１３が配置し、筆記体及び摺動体を後方に付勢してある。尚、図示はしていないが、他の２つの摺動体も摺動体９，１０と同様に、スプリング支持部８と、各々の摺動体間には、コイルスプリング１４，１５が配置され、筆記体及び摺動体を後方に付勢している。
【００１２】
後軸３の後部（二本の摺動溝の間）には、長手方向に沿って延びる凹状の装着溝が形成してあり、この装着溝にクリップ７を付設してある。尚、クリップ７は、落とし込み嵌合によって後軸３に固設してある。
また、クリップ７の後部には、軸筒外面から突出するように基部７ａが延設され、基部７ａの外面を挟持する対称位置に円形凹孔状のヒンジ部７ｂが形成してある。ヒンジ部７ｂには、蓋体５が枢設される。
【００１３】
前記蓋体５は、着色ポリアセタール樹脂からなる成形物であり、クリップ７を正面から見て左右に延出する係合部５ａが一端部に設けられ、他端部には、垂直方向上側に延設される突出部６が設けられている。尚、前記突出部６は、嵌合部５ｅを介して係合部５ａと略対称となる位置に、垂直方向上側に延出させることで、径方向の押力を軸方向の嵌合解除力に変換するものである。尚、本実施例では蓋体に一体成形されているが、別体で形成したものを蓋体に取り付けて使用することもできる。
【００１４】
更に、前記突出部６の外面（ヒンジ側と略対称位置になる側壁）は、押圧操作時に指先が安定接触する押圧操作部として作用し、本実施例では、窪状の指掛部６aが形成されている。尚、押圧操作部に指掛部６aを形成することは必須ではないが、押圧開放操作時の最適な箇所を示す位置表示となるとともに、指先のグリップ性が向上するため、形成することが好ましい。また、前記指掛部６aは立体形状であれば窪状に限らず、各種形状の突起や段部を成形時に設けることで形成される他、印刷、貼着、転写等の手段による後処理形成で設けることもできる。
【００１５】
前記突出部６を備えた蓋体５は、軸筒外面から突出するようにクリップ７の後部から延設された基部７ａ（具体的には、基部７ａ外面を挟持する対称位置に形成される凹孔状のヒンジ部７ｂ）に対して、係合部５ａを係合することで、蓋体５を回動自在に係合しており、更に蓋体５を回動することで、後軸３の後端３ａを露出することができる。具体的に、係合部５ａの係合位置には、基部７ａの外面を挟持する対称位置に円柱状突起が形成されており、ヒンジ部７ｂとの係合状態（枢着）を維持している。
【００１６】
また、蓋体５の軸方向の略中央（軸筒の軸心近傍）には、嵌合部５ｅとなる貫通孔が形成され、その内方には嵌合用の突起が形成されている。蓋体５が後軸３の後端３ａを閉鎖する際、後軸３の後端部に軸方向に形成した、後方に向かって突出する被嵌合部３ｄに、嵌合部５ｅ（突起）を乗り越え嵌合することで、蓋体５を後軸３に対して開閉自在に嵌合している。特に、軸筒の軸心近傍で嵌合する構造においては、開閉嵌合を繰り返した際の緩みが生じ難いため、長期の使用においても嵌合力の低下が抑制できる。
【００１７】
尚、前記蓋体５の突出部６先端までの高さＨ（突出部６の長さ）は、蓋体５の係合部５ａ（ヒンジ部７ｂ）から嵌合部５ｅまでの距離Ｌ（いずれも中心からの距離）よりも長く設定することが好ましい（図４参照）。この場合、蓋体をＦ方向（軸筒径方向のヒンジ側）に押圧した際の押力を嵌合解除力に効率よく変換できるため、弱い力であっても蓋体５をより容易に開放できる。
【００１８】
軸筒内に収容する筆記体のペン先部（ボールペンチップ）を前軸２の先端開口部２ａから突出させるには、摺動体９の操作部９ａを、摺動溝３ｂに沿って、前軸２の先端開口部２ａ方向へスライドすることにより、摺動体９に形成した係合突起が後軸３内に形成した係止部に係止して、筆記体のペン先部を前軸の先端開口部２ａから選択して突出を維持することができる。また、摺動体９には、解除突起を設けてある。
【００１９】
筆記体のペン先部が先端開口部２ａからの突出を維持した状態で、他の摺動体１０の操作部１０ａを前軸２の先端開口部２ａ方向にスライドすることで、摺動体１０の解除突起が、スリーブ１１を介して摺動体９の係止を解除し、先に突出していた筆記体のペン先部を前軸２内に没入させることができる。
【００２０】
筆記体を交換する場合、蓋体５が後軸３の後端３ａを閉鎖した状態から、突出部６の押圧操作部（指掛部６a）をヒンジ側に押圧（図１の矢印Ｆ方向）し、蓋体５の嵌合部５ｅと後軸３の被嵌合部３ｄとの嵌合を解除し、蓋体５を回動させて後軸３の後端３ａを露出させる。この時、蓋体５は、押圧操作部（指掛部６a）を親指の腹等の指先で押圧操作することにより容易に嵌合解除できるため、爪の長さや指の力に関係なく交換作業を効率的に行うことが可能となる。
【００２１】
嵌合解除された蓋体５を回動し、後軸３の後端３ａが露出すると、摺動溝３ｂから各々の摺動体９，１０（その他図示せず）が、コイルスプリング１２，１３（その他図示せず）の後方付勢により後方外部に突出される。この状態から摺動体９を筆記具本体４内から取り出すことにより、その摺動体９と互いに連結状態にある筆記体（摺動体付筆記体）を後軸３から取り出し、その後、互いに連結状態にある新たな筆記体と新たな摺動体とを後端が開口した摺動溝３ｂから後軸３内に挿入する。そして、蓋体５を前方（ヒンジ部反対側）に回動させ、その後、蓋体５の嵌合部５ｅと後軸３の被嵌合部３ｄとを嵌合して、後軸３の後端３ａを閉鎖する。これにより、筆記体及び摺動体の交換作業が終了するため、ユーザーが好みの筆記体とそれに対応した摺動体を軸筒内に交換可能に収容でき、しかも、筆記体及び摺動体を迅速且つ確実に交換することができる。
【００２２】
本実施例では、便宜上、蓋体を回動し、後軸の後端が露出して、筆記体及び摺動体を交換可能としてあるが、蓋体を回動し、後軸の後端を露出して、鉛芯を充填するなど、蓋体の回動によって後軸の後端が露出する構造であれば特に限定されるものでなく、弱い力であっても蓋体を紛失することなく容易に開閉でき、筆記体の交換作業や鉛芯の充填をすることができる。
【００２３】
更に、蓋体５の外観形状や材質は特に限定されず、頂壁を有する形状とし、透明又は半透明として頂壁の内面をダイヤカット等の多面体として装飾性を高めることもできる。また、頂壁外面を、内面の多面体と相似形や大きさの異なる多面体として、装飾性を高めることもできる。更に、蓋体５に印刷や貼着等による加飾を施すことで、より多彩な装飾効果を付与することもできる。
【符号の説明】
【００２４】
１  筆記具
２  前軸
２ａ  先端開口部
３  後軸
３ａ  後端
３ｂ  摺動溝
３ｃ  開口部
３ｄ  被嵌合部
４  筆記具本体
５  蓋体
５ａ  係合部
５ｂ  円柱状突起
５ｃ  支持部
５ｄ  傾斜部
５ｅ  嵌合部
６  突出部
６ａ  指掛部（押圧操作部）
７  クリップ
７ａ  基部
７ｂ  ヒンジ部
８  スプリング支持部
９，１０  摺動体
９ａ，１０ａ  操作部
１１  スリーブ
１２，１３，１４，１５  コイルスプリング
【図１】
2014237241.tif 000003
【図２】
2014237241.tif 000004
【図３】
2014237241.tif 000005
【図４】
2014237241.tif 000006